(57)【特許請求の範囲】
【請求項１】
用紙を把持して搬送する搬送系と、この搬送系の搬送速度よりも速い周速度で回転しながら用紙を破砕する破砕系とを備え、搬送系を構成する要素の一部と破砕系を構成する要素の一部を共通とし、前記搬送系が前記用紙を前記搬送速度で送りながら把持する位置（搬送位置）と、前記破砕系が前記用紙に対し破砕動作を行う位置（破砕位置）とは、前記用紙の搬送方向において同一であるか連続しており、且つ前記用紙の紙面と平行であって且つ前記搬送方向と直交する方向において交互に配置されていることを特徴とするドキュメントシュレッダー装置。
【請求項２】
第１の駆動軸と、第１の駆動軸より高速で回転する第２の駆動軸と、前記第１の駆動軸に固定され、所定の搬送速度で用紙を送るための搬送手段と、第２の駆動軸に固定され用紙を引きちぎるための破砕手段とを備え、
前記搬送手段が前記用紙を前記搬送速度で送りながら把持する位置（搬送位置）と、前記破砕手段が前記用紙に対し破砕動作を行う位置（破砕位置）とは、前記用紙の搬送方向において同一であり、且つ前記用紙の紙面と平行であって且つ前記搬送方向と直交する方向において交互に配置されており、
前記第１の駆動軸に、前記第２の駆動軸に固定された破砕手段に従動して回転する破砕補助手段を設けたことを特徴とするドキュメントシュレッダー装置。
【請求項３】
請求項２記載のドキュメントシュレッダー装置であって、
前記第２の駆動軸に、前記第１の駆動軸に固定された搬送手段に従動して回転する搬送補助手段を設けたことを特徴とするドキュメントシュレッダー装置。
【請求項４】
用紙を搬送する用紙搬送手段と、回転軸及び回転軸に固定され用紙を引きちぎるための破砕刃を有し、前記破砕刃を前記用紙搬送手段の搬送速度より速い周速度で回転させる破砕手段と、前記回転軸に回転自在に支持され、前記用紙搬送手段の一部と噛合して、破砕刃による紙の引きちぎり動作の間、用紙を保持するとともに前記用紙搬送手段の搬送速度で用紙を送る紙送り手段とを備え、
前記紙送り手段により前記用紙を前記搬送速度で送りながら把持する位置（搬送位置）と、前記破砕手段が前記用紙に対し破砕動作を行う位置（破砕位置）とは、前記用紙の搬送方向において同一であり、且つ前記用紙の紙面と平行であって且つ前記搬送方向と直交する方向において交互に配置されていることを特徴とするドキュメントシュレッダー装置。
【請求項５】
前記紙送り手段は、外周に多数の突起部が形成された円板状部材であることを特徴とする請求項４記載のドキュメントシュレッダー装置。
【請求項６】
前記破砕手段は、第１の回転軸と、第１の回転軸と逆方向に回転する第２の回転軸と、これら第１及び第２の回転軸にそれぞれ固定され互いに対向する位置に配置された第１及び第２の破砕刃を備え、前記第１及び第２の破砕刃は、異なる位相で回転駆動されることを特徴とする請求項４または５記載のドキュメントシュレッダー装置。
【請求項７】
用紙を搬送する用紙搬送手段と、回転軸及び回転軸に固定され紙を引きちぎるための破砕刃を有し、前記破砕刃を前記用紙搬送手段の搬送速度より速い周速度で回転させる破砕手段とを備えたドキュメントシュレッダー装置であって、
前記用紙搬送手段は、軸の周りで回転するプーリーと、前記プーリーの外周面に圧接し、当該外周面との間に形成される円弧状の圧接部で紙を挟持する搬送ベルトとを備え、前記圧接部の端部近傍に前記破砕手段の破砕刃が設置されており、前記プーリー及び前記搬送ベルトが前記用紙を前記搬送速度で送りながら把持する位置（搬送位置）と、前記破砕手段が前記用紙に対し破砕動作を行う位置（破砕位置）とは、前記用紙の搬送方向において同一であり、且つ前記用紙の紙面と平行であって且つ前記搬送方向と直交する方向において交互に配置されていることを特徴とするドキュメントシュレッダー装置。
【請求項８】
前記プーリーは、前記破砕刃の回転を妨げない位置に、圧接部で挟持された紙が前記破砕刃から逃げるのを防止する制御部材を備えたことを特徴とする請求項７記載のドキュメントシュレッダー装置。
【請求項９】
一対の駆動軸にそれぞれ固定され、互いに対向して配置された一対の破砕手段と、前記一対の破砕手段への用紙供給側の近傍に配置され、所定の搬送速度で用紙を搬送する一対の用紙搬送用歯車とを備えたドキュメントシュレッダー装置であって、
前記駆動軸は少なくとも前記破砕手段が固定されていない部分に歯車が形成されており、当該駆動軸の動力を減速して前記用紙搬送用歯車に伝達する伝達歯車を備え、
前記一対の用紙搬送用歯車が前記用紙を前記搬送速度で送りながら把持する位置（搬送位置）と、前記一対の破砕手段が前記用紙に対し破砕動作を行う位置（破砕位置）とは、前記用紙の搬送方向において同一であるか連続しており、且つ前記用紙の紙面と平行であって且つ前記搬送方向と直交する方向において交互に配置されていることを特徴とするドキュメントシュレッダー装置。
【発明の詳細な説明】
【技術分野】
【０００１】
本発明は、機密保持の目的で廃棄する書類を細かく破砕し、その内容を読めなくした状態で廃棄するためのドキュメントシュレッダー装置に関し、特に用紙の繊維を切断することなく長く保持し、再生に適した破砕紙を提供できるドキュメントシュレッダー装置に関する。
【背景技術】
【０００２】
ドキュメントシュレッダー装置としては、対向し接し合って回転する丸刃で用紙を裁断する方式が主流である。しかし切断刃で裁断した紙片は、繊維が切断されているため再生紙としての利用が限られている。これに対し、切断後の紙の用途を考慮し、紙を切断するのではなく、引きちぎることにより破砕する装置が開発されている。例えば、特許文献１には、一対の回転軸に複数の回転刃を設けるとともに一方の回転軸の速度を他方より速くし、また搬送される紙に対し交互に噛み込むように配置することにより、速度差を利用して紙を引きちぎるようにした装置が提案されている。【０００３】
このようなドキュメントシュレッダー装置では、紙の端部が処理されずに排出されるのを防止する必要がある。特許文献１に記載された装置では、回転刃の径を大きくして紙を保持する長さを長く取り、紙が終端まで処理できるようにしている。【０００４】
しかし回転刃の径を大きくした場合には、一対の回転刃の速度比を大きく取ることができず、速度比のみでは十分な破砕力が得られにくい。このため特許文献１記載の装置では、処理後の紙を再度回転刃との間に戻し、確実に破砕されるようにしている。回転刃の径を大きくすること、また破砕後の紙を再度破砕するための機構を設けることは、装置の大型化につながる。さらに従来のドキュメントシュレッダー装置では、破砕刃として摩耗に強い材料が要求され、高い処理能力を維持するためにはメンテナンスの負担が大きいという問題もあった。【０００５】
一方、破砕後の紙の処理については、従来、圧縮装置としては、筒状部材の内部でスクリューを回転させる構成のものが知られている（特許文献２）。この装置において、筒状部材は、出口端に向かって内径が順次狭められている。粉砕された古紙片は、スクリューの回転により出口端に向かって移動し、出口近傍の小径部の内壁面に押しつけられて硬く圧縮され、圧縮物が出口端から排出される。特許文献２では、筒状部材の小径部において圧縮された紙片が詰まる現象を防止するために、小径部を弾性のある樹脂等により形成し、小径部壁面に弾性を持たせることが開示されている。【０００６】
しかしながら、上記特許文献２に記載の圧縮装置は、小径部に向かって紙片を押し込む構造であるため、紙片は小径部の入り口付近の壁面に大きな力で押しつけられ、紙片が詰まりやすいという問題がある。詰まりの問題は、壁面に弾性を持たせることにより多少改善することはできるが、根本的な解消はできない。また、紙片の圧縮物は、それをどのように再利用するかによって圧縮物に要求される圧縮度合い（硬さ）が異なるが、上記特許文献２に記載の圧縮装置の構造において圧縮度合いを変更するには、壁面の弾性度を変更する必要があり、容易に圧縮度合いを変更することはできないという問題もある。
【特許文献１】特開２００３−１１３１号公報
【特許文献２】特開２００２−１３７０９６号公報
【発明の開示】
【発明が解決しようとする課題】
【０００７】
本発明の第１の目的は、小型の装置であって、しかも用紙搬送速度と破砕刃の回転速度との速度比を大きく取ることができ、１回の通紙のみで確実に終端まで破砕することが可能なドキュメントシュレッダー装置を提供することにある。また本発明は、破砕刃としてプレス加工によって作製される破砕刃の使用を可能にし、メンテナンス等の負担を軽減することを目的とする。さらに本発明は、このようなドキュメントシュレッダー装置に好適な用紙供給装置を提供することを目的とする。【０００８】
本発明の第２の目的は、紙片が詰まることなく紙片の圧縮、排出を行うことが可能な圧縮装置を提供することにある。また容易に圧縮度合いを変更することが可能な圧縮装置を提供することを目的とする。
【課題を解決するための手段】
【０００９】
上記第１の目的を達成するドキュメントシュレッダー装置は、用紙を把持して搬送する搬送系と、この搬送系の搬送速度よりも速い周速度で回転しながら用紙を破砕する破砕系とを備え、搬送系を構成する要素の一部と破砕系を構成する要素の一部を共通とし、搬送系の作用点と破砕系の作用点を用紙の搬送方向に対し実質的に同じ位置とする、或いは搬送系に連続して破砕系を配置することを特徴とする。【００１０】
本発明のドキュメントシュレッダー装置は、例えば、第１の駆動軸と、第１の駆動軸より高速で回転する第２の駆動軸と、前記第１の駆動軸に固定され用紙を送るための搬送手段と、第２の駆動軸に固定され用紙を引きちぎるための破砕手段とを備え、前記第１の駆動軸に、前記第２の駆動軸に固定された破砕手段に従動して回転する破砕補助手段を設けたことを特徴とする。【００１１】
本発明のドキュメントシュレッダー装置は、例えば、用紙を搬送する用紙搬送手段と、回転軸及び回転軸に固定され用紙を引きちぎるための破砕刃を有し、前記破砕刃を前記用紙搬送手段の搬送速度より速い周速度で回転させる破砕手段と、前記回転軸に回転自在に支持され、前記用紙搬送手段の一部と噛合して、破砕刃による紙の引きちぎり動作の間、用紙を保持するとともに前記搬送手段の搬送速度で用紙を送る手段とを備えたことを特徴とする。【００１２】
本発明のドキュメントシュレッダー装置は、用紙を搬送する用紙搬送手段と、回転軸及び回転軸に固定され紙を引きちぎるための破砕刃を有し、前記破砕刃を前記用紙搬送手段の搬送速度より速い周速度で回転させる破砕手段とを備えたドキュメントシュレッダー装置であって、前記用紙搬送手段は、軸の周りで回転するプーリーと、前記プーリーの外周面に圧接し、当該外周面との間に形成される円弧状の圧接部で紙を挟持する搬送ベルトとを備え、前記圧接部の端部近傍に前記破砕手段の破砕刃が設置されていることを特徴とする。【００１３】
ドキュメントシュレッダー装置は、例えば、一対の駆動軸にそれぞれ固定され、互いに対向して配置された一対の破砕手段と、前記一対の破砕手段への用紙供給側の近傍に配置された一対の用紙搬送用歯車とを備えたドキュメントシュレッダー装置であって、前記駆動軸は少なくとも前記破砕手段が固定されていない部分に歯車が形成されており、当該駆動軸の動力を減速して前記用紙搬送用歯車に伝達する伝達歯車を備えたことを特徴とする。【００１４】
また本発明の用紙供給装置は、用紙を収納する用紙収納部と、用紙をドキュメントシュレッダー装置に搬送する搬送ベルトと、前記搬送ベルトを走行させる駆動手段を備えたドキュメントシュレッダー装置用の用紙供給装置であって、前記用紙収納部は、その底部に用紙と前記搬送ベルトを接触させるための開口を有し、前記搬送ベルトとの接触により用紙収納部から排出された用紙を前記ドキュメントシュレッダー装置が処理可能な量に分離する分離手段を備えたことを特徴とする。【００１５】
本発明の第２の目的を達成する本発明の用紙片圧縮装置は、用紙片の搬入口と排出口とを有する圧縮室と、前記搬入口に配置された用紙片圧縮機構部とを有し、前記圧縮室の排出口には、開閉可能な圧力壁と、該圧力壁を閉じる方向に所定の圧力を加える押圧部材が配置されていることを特徴とする。
この場合、圧縮室は、例えば、内径に段差のない筒状部材であり、搬入室と排出口は向かい合わせに配置され、前記用紙片圧縮機構部は、前記搬入口から前記排出口の圧力壁に向かって用紙片を押し込む力を加える構造とすることができる。【００１６】
また本発明の用紙片圧縮装置は、例えば、用紙片の搬入口と排出口とを有する圧縮室と、前記搬入口に配置された用紙片圧縮機構部とを有し、前記用紙片圧縮機構部は、搬入口の開口面内で回転する回転部材と、回転部材を駆動する駆動軸とを含むことを特徴とする。
例えば回転部材は軸状部材であり、該軸状部材には、１以上のローラーが取り付けられ、該ローラーは、軸状部材の前記開口面内での回転により、前記圧縮室内の用紙片の圧縮物と接触し、圧縮物の端面上で転がる。
また搬入口の外側には用紙片を受ける容器が配置され、該容器内にはコイル形状の線材が備えられ、該コイル形状の線材は、前記駆動軸に固定され、駆動軸の回転に伴って回転することにより、前記容器内の用紙片を前記搬入口に搬送する。
【発明の効果】
【００１７】
本発明のシュレッダー装置は、用紙を把持して搬送する搬送系と破砕系とが一部の要素を共通にして組み立てられているので小型であり、また搬送系とそれぞれ独立の作用点を有しているので用紙搬送速度と破砕刃の回転速度との速度比を大きく取ることができる。また搬送系によって用紙の終端までしっかり把持されながら破砕が行われるので、１回の通紙のみで確実に終端まで破砕することが可能である。
【発明を実施するための最良の形態】
【００１８】
以下、本発明のドキュメントシュレッダー装置および用紙片圧縮装置の実施の形態を説明する。
図１は、本発明のドキュメントシュレッダー装置の全体概要を示す図であり、このドキュメントシュレッダー装置は、不要用紙を収納すると共にその適量を分離供給する用紙供給部１００と、用紙供給部１００から供給される用紙Ｐを破砕処理する破砕部１００と、破砕部２００で破砕された後の用紙片Ｐ’を圧縮する圧縮部３００とを備えている。【００１９】
用紙供給部１００は、図２に示すように、廃棄用紙を大量にまとめて収納できる用紙収納部１１０と、用紙収納部１１０から適当な枚数の用紙Ｐを分離して取り出すための用紙分離機構１２０と、ベルト１３１及びプーリー１３２とからなる用紙搬送機構１３０とを備えている。ベルト１３１は、用紙の幅方向（図面に垂直な方向）に複数列設けられている。
用紙収納部１１０は、箱状の部材で内部に廃棄用紙を重ねて収納できるようになっており、その底部は一部開放され、収納された用紙の下端が用紙搬送部１３０のベルト１３１と接触するようになっている。また用紙収納部１１０の用紙排出側も用紙の排出を可能にするための開口が設けられている。【００２０】
用紙搬送機構１３０は、複数のプーリー１３２と、これらプーリーに掛け回されたベルト１３１と、用紙の搬送をガイドする用紙ガイド１３５とからなる。複数のプーリーの一つは図示しない動力源によって回転駆動され、このプーリー１３２が回転することにより、ベルト１３１は図中反時計回りに回転し、用紙収納部１１０の下端でベルト１３１と接触する用紙を図中左方向に排出する。なお図示する実施の形態では、用紙搬送機構１３０は、後続の破砕部２００の搬送系も兼ねており、後述する破砕刃を固定したローラー等が搬送機構１３０に設けられている。装置全体を小型化するためには図示した形態が好ましいが、用紙供給部１００と破砕部２００の用紙搬送系は互いに独立していてもよい。【００２１】
用紙分離機構１２０は、用紙収納部１１０の用紙排出側の下端に設けられた分離部材１２１と、用紙収納部１１０から排出された用紙の先端を検出するセンサ１２２と、センサ１２２からの用紙検出信号によって駆動される偏心カム１２３と、偏心カム１２３によって駆動され、用紙の搬送を制限するリフター１２４とを備えている。
分離部材１２１は、表面が高摩擦係数の材料からなり、ベルト１３１との間隙が用紙の進行方向に向って狭くなるように設定されており、用紙格納部１１０から出てこようとする用紙の枚数を１、２枚に制限する。分離部材１２１は、例えば一方向クラッチを内蔵したゴムローラで構成され、所定の軸を中心に回転可能であり、用紙の搬送方向にはその回転がロックされるが逆方向には自由に回転し用紙ジャム時に用紙が容易に取り出せるようになっている。【００２２】
リフター１２４は、ベルト１３１を挟んで用紙収納部１１０の底部に対向する位置に備えられており、偏心カム１２３の一回転により上下動する。リフター１２４とベルト１３１は用紙の幅方向（図面の紙面に垂直な方向）にずれた位置にあり、リフター１２４の上下動がベルト１３１と干渉しないようになっている。またリフター１２４の、用紙と接触する面の一端には高摩擦係数の材料からなる突起１２５が設けられている。センサ１２２が、用紙の先端を検出することによって偏心カム１２３が回転すると、リフター１２４が上昇し、まず突起１２５が排出されずに残った用紙の下端部に接触し、その搬送を止める。さらにリフター１２４が上昇すると、リフター１２４が用紙全体を持ち上げベルト１３１との接触を絶ち、残された用紙の搬送を停止させる。【００２３】
以上のような構成における用紙供給部１００の動作を説明する。
プーリー１３２が図示しない動力源によって回転駆動され、ベルト１３１が回転すると、用紙収納部１１０に収納された用紙のうち、ベルト１３１に接している最下端部の用紙が用紙収納部１１０から引き出される。この際、用紙収納部１１０の排出側開口とベルト１３１との間に設定された間隙に相当する枚数が用紙収納部１１０から搬送され外に出てくる。用紙が分離部材１２１に達すると、そのテーパーに上部の用紙から接触し進行を止められ、最終的には１，２枚のみが分離部材１２１を通過する。【００２４】
分離部材１２１を通過した用紙の先端が用紙センサ１２２に検出されると、これによって２つの偏心カム１２３が回転し、リフター１２４を上に持ち上げる。まずリフター１２４の突起１２５が収納部１１０に残された用紙と接触してその搬送を止め、さらにリフター１２４が上昇することにより用紙全体を持ち上げ、ベルト１３１との接触を切り離す。これにより後続の用紙の搬送は中断される。後続の用紙に突起１２５が接触してから用紙全体が持ち上げられるまでの時間差に、分離部材１２１を通過した用紙は、移動を制限されることなく収納部１１０から排出され、破砕部２００に搬送される。偏心カム１２３がさらに回転することにより、リフター１２４はベルト１３１より下側の位置に戻り、その際、用紙収納部１１０において下端となった用紙が搬送可能な状態となる。【００２５】
このように本実施の形態の用紙供給部１００は、用紙収納部１１０から制限された枚数の用紙のみを分離して排出させるとともに、用紙収納部１１０に残った用紙の移動を確実に制限することにより、ジャムの発生を防止し、確実に少ない枚数の用紙を破砕部２００に供給することができる。【００２６】
なお上記実施の形態では、用紙収納部１１０の端部に単一の分離部材１２１を設けた場合を示したが、例えば図３に示すように、分離部材１２１は複数（１２１ａ、１２１ｂ）設けてもよい。この場合、後段の分離部材１２１ｂとベルト１３１との間隙を用紙一枚程度の間隙となるように調整しておくことにより、前段の分離部材１２１ａで２〜３枚程度に分離し、最終的に１枚のみを分離し、破砕部２００に供給することができる。また分離部材１２１の形状としては、用紙の進行方向に向ってベルトとの間隙が狭くなればよく、図２に示すようなローラーのみならずテーパー形状の部材でもよい。【００２７】
用紙供給部１００の別の実施形態を図４及び図５により説明する。
図４に示す用紙供給部１００は、基本的な構成は図２に示したものと同様であるが、用紙詰まり（ジャム）を解消する機構を備えていることが特徴である。このような機構として、図４に示す実施形態では、用紙収納部１１０の用紙出口とは反対側の近傍に位置するプーリー１３２の軸１３７に偏心ローラー１４０が設けられている。プーリー１３２は軸１３７に対し自由回転し、ベルトに従動回転するのに対し、偏心ローラー１４０は軸１３７に固定され、軸１３７を駆動することによりベルト搬送系とは独立して回転できるようになっている。軸１３７は、例えば用紙詰まりを検出するセンサからの信号により駆動される。また偏心ローラー１４０は、表面が高摩擦材料からなり、その一部が軸１３７に対し凸形状を有している。偏心ローラー１４０の軸１３７方向の位置は、ベルト１３１とは干渉しない位置にあり、偏心ローラー１４０が回転することにより、その凸部が用紙の下側に接触できるようになっている。反時計回りに摩擦力により用紙端部を捲り上げる。【００２８】
このような構成において、例えば、用紙がホチキス止めだったり折れ曲がっているために、用紙収納部１１０の出口或いは分離部材１２１の手前で詰まると、収納部底面の用紙有無センサが用紙を検知し、分離部と破砕部の間にある用紙通過センサが一定時間用紙を検知しないと用紙詰まりと認識して、軸１３７が回転し、偏心ローラー１４０を反時計回りに回転させる。これにより偏心ローラー１４０の凸部が用紙の端部Ｅを急に持ち上げ、用紙と偏心ローラー１４０との接触圧が急激に増加した状態で用紙を前方に送る。このため、用紙の最後端は湾曲し膨らみ、その圧力でベルトとの接触圧も増加し、用紙の端部はベルトにより捲り上げられ裏返しの状態で前方に搬送される。用紙の端部が搬送され、狭くなった出口までくると、詰まっている用紙の下から搬送される為に分離ロールに接触せずに取り込まれ、またしわ等により一部厚くなっている部分が有ったとしても、分離ロール及びベルトが座屈し、結果として、停止力よりも搬送力が勝り、用紙は出口を通過し、破砕部に供給される。【００２９】
このように用紙がホチキス止やクリップ止されている場合には、止められている端部を用紙搬送方向先頭部にセットすることで、用紙は一枚一枚捲くられホチキス止めされた部分から剥がされていくため、出口で詰まることなく破砕部に供給することができる。【００３０】
図５に示す用紙供給部１００は、基本的な構成は図２に示したものと同様であるが、ベルトの研削機構１５０が設けられていることが特徴である。すなわちベルト搬送系のプーリー１３２の近傍に、支点１５１で回転可能なアーム１５２が設置されており、その一端にはベルト研削のための砥石１５３が固定され、他端にはアーム１５２を駆動するための駆動源、例えば電磁ソレノイド１５４と復帰スプリング１５５が固定されている。また図示しない用紙処理枚数のカウンタが設けられている。カウンタは、例えば、用紙の先端を検出するセンサからの信号やプーリーに設けられたエンコーダからの信号を入力し、用紙処理枚数をカウントし、それが一定の枚数に達すると電磁ソレノイド１５４に通電する。【００３１】
これにより電磁ソレノイド１５４は縮み、アーム１５２を図中反時計方向に回転させ、砥石１５３を回転中のベルト１３１に接触させる。砥石１５３と接触することによりベルト１３１の表面が削られ、再度高摩擦状態に戻る。電磁ソレノイド１５４への通電は、例えばタイマー制御で行なわれ、一定時間後通電が終了するようになっている。通電が終わると復帰スプリング１５５の力でアーム１５２は元の状態に復帰し、砥石１５３もベルト１３１から離れ研削は終了する。【００３２】
次に破砕部２００について説明する。本発明のドキュメントシュレッダー装置の破砕部２００は、用紙を把持して搬送する搬送系と、この搬送系の搬送速度よりも速い周速度で回転しながら用紙を破砕する破砕系とを備え、搬送系を構成する要素の一部と破砕系を構成する要素の一部を共通とし、搬送系の作用点と破砕系の作用点を用紙の搬送方向に対し実質的に同じ位置とする、或いは搬送系に連続して破砕系を配置することを特徴としたものである。このような構成を可能にする具体的な態様としては、例えば、ベルト搬送系とプーリーとを組み合わせたもの（第１の態様）、歯車を用いたもの（第２の態様）などがある。以下、各態様の破砕部について詳述する。【００３３】
第１の態様
図６及び図７は、ベルト搬送系とプーリーを用いた破砕部の第１の実施の形態を示す図である。この破砕部２００は、プーリー及びベルトからなる搬送系２３０と、用紙を破砕するための機構と、破砕後の紙を排出するホッパー２４０とを備えている。用紙を破砕するための機構は、図示しない駆動源に接続され、互いに反対方向に回転する第１の軸２１０および第２の軸２２０と、第１の軸２１０に固定された平板状の破砕刃２１１と、第２の軸２２０に固定され、破砕刃２１１と協働して用紙の破砕（引きちぎり）を行なう平板状の破砕刃２２１とを備えている。【００３４】
搬送系２３０は、上述した用紙供給部１００の用紙搬送系が兼ねていてもよい。図示する実施の形態では、搬送系２３０は、３つのプーリー２３２ａ、２３２ｂ、２３２ｃと、プーリー２３２に掛回されたベルト２３１と、プレスローラー２３４と、用紙ガイド２３５とからなる。ベルト２３１は、例えば表面を高摩擦係数とするために、高摩擦係数の材料（ゴム）であるか或いは細かい凹凸状に加工されている。ベルト２３１は、用紙の幅に合わせて幅広いものを用いてもよいが、この実施の形態では、用紙の幅方向に複数本のベルトを並置した構成としている。３つのプーリーの一つは図示しない駆動源に接続された駆動プーリーであり、ベルト２３１を図中反時計回りに回転させる。搬送系の下側に位置するプーリー２３２ａの下方には、破砕を行なうための機構が固定されている。【００３５】
破砕機構を構成する２本の軸２１０、２２０は、軸２１０が時計回り、軸２２０が反時計回りで、搬送系による用紙の搬送速度よりも速い周速度で回転し、これにより軸２１０、２２０に固定された破砕刃２１１、２２１が用紙に突き刺さり、引きちぎり動作を行なう。破砕刃２１１、２２１は、図７に示すように、板状部材の両端部に鋭利な刃を形成したものであり、２枚で軸を挟むように軸２１０、２２０に固定されている。破砕刃は軸を挟む２枚を一組として、複数組が軸２１０、２２０の軸方向に配置されている。複数組の破砕刃は、それぞれプーリー２３１の軸方向に複数配置されるベルト２３１に対向している。また破砕刃２１１と破砕刃２２１は、両破砕刃の回転径は重なり合い且つ９０度の位相差となるように固定されている。これにより両破砕刃の間を通過する用紙に刃が突き刺さりやすくなっている。【００３６】
また軸２１０には、複数組の破砕刃２１１の間に、軸２１０に対し自由回転する突起状ホイル２１３と、突起状ホイル２１３に固定されたローラー２１４が装着されている。ローラー２１４は、ベルト２３１に圧接し、これによりローラー２１４とベルト２３１との間で用紙を挟み搬送する。突起状ホイル２１３は、外周に鋭利な突起状の刃が形成された円盤状の部材で、複数のベルトの間に配置される。突起状ホイル２１３は、ローラー２１４とベルト２３１で挟まれた用紙に穴を明けながら用紙を搬送し、破砕刃によって発生する用紙への大きな引張力に対向して保持力を持ち、用紙が最後まで破砕されるのを助ける。【００３７】
このような構成における破砕部２００の動作について説明する。
プレスローラー２３４とベルト２３１によって搬送された用紙が、プーリー２３２aとローラー２１４との間に達すると突起状ホイル２１３の刃が用紙に突き刺さり用紙を確実に保持しながら破砕刃２１１、２２１の間に送る。このとき突起状ホイル２１３がなければ用紙はその剛性により用紙の進行方向に向かって直進しようとするが、突起状ホイル２１３によって保持されているためホイルに沿って移動し、確実に破砕刃２１１、２２１の間に送ることができる。破砕刃２１１、２２１は、プーリー２３２aと同じ回転速度で回転する突起状ホイル２１３に対し速い速度で回転しているので、突起状ホイル２１３によって保持されている用紙に対し引きちぎり力が与えられ、用紙は用紙片となって破砕刃２１１、２２１の下部に設置されたホッパー２４０内に落下する。用紙は突起状ホイル２１３によって後端まで同じ搬送速度で搬送され、最後まで破砕刃による引きちぎりが行われる。したがって、用紙の端部が直線状に残るということがなく、１回の破砕動作で用紙全体が確実に破砕される。ホッパー２４０で集められた用紙片Ｐ’は、次工程の圧縮部３００に送られる。【００３８】
本実施の形態によれば、対向配置され、用紙を破砕する破砕刃の軸の一方に、軸に対し自由回転して用紙を保持、搬送するための手段を設けたことにより、搬送速度と破砕刃の回転速度との差を利用して効果的に用紙の引きちぎりを行うことができ、しかも両者の作用点が用紙の搬送方向に対しほぼ同じ位置となるので、用紙の終端まで確実に破砕を行うことができる。【００３９】
図８および図９は、ベルト搬送系とプーリーを用いた破砕部の第２の実施の形態を示す図である。図中、図６および図７に示す実施の形態と同じ要素については同一の符号で示している。【００４０】
この破砕部は、破砕機構として、軸２５０について自由回転するプーリー２５１と破砕刃２１１が固定された軸２１０とを備えている。プーリー２５１は用紙搬送系のベルト２３１に圧接するように配置されており、ベルト２３１の回転に伴い回転し、これによりベルト２３１との間に用紙を挟んで搬送する。ベルト２３１は用紙の幅方向（プーリーの軸方向）に複数配置されており、これに対向してプーリー２５１も複数配置されている。また軸２５０には、その軸方向にプーリー２５１と交互に押さえリング２５２が装着されている。【００４１】
破砕刃２１５および軸２１０は、第１の実施の形態と同様の構造を有し、２枚の破砕刃を一組として軸２１０の軸方向に複数組が固定されている。ただし破砕刃２１５は、その回転が押さえリング２５２と干渉しないために、両端にそれぞれ所定の間隔を持つ２つの突起状の刃が形成されている。軸２１０は図示しない動力源に接続されており、ベルト２３１による用紙の搬送速度より速い周速度で破砕刃２１５を回転させる。複数組の破砕刃２１５は、ベルト２３１およびプーリー２５１と交互に配置されており、且つその中央に押さえリング２５２が位置するように配置される。これにより破砕刃の２つの突起状の刃と押さえリングとが干渉しないようになっている。また破砕刃２１５は、用紙との接触部がベルト２３１とプーリー２５１との接触中心点（圧力最大点）より少し下方にずらして設置されている。これにより用紙が破砕されるとき、ベルトによる用紙保持の影響をなくし、帯状に残ることが無く、紙の幅方向に自由に引きちぎられ切り残しがなくなる。【００４２】
このような構成における本実施の形態の破砕部の動作を説明する。用紙Pが用紙ガイド２３７を経てプーリー２５１とベルト２３１の接触部に導かれると、用紙はプーリー２５１とベルト２３１の間に挟まれ、保持されプーリー２５１の曲率に従い弧状の状態に曲げられて搬送される。用紙の先端が高速で回転する破砕刃２１１の回転半径内にくると、破砕刃の鋭利な先端が用紙に突き刺さり、ベルト２３１との周速の差で用紙は引きちぎられ破砕が始まる。この際、用紙は押さえリング２５２によって破砕刃から逃げる方向への移動が制限されているので、確実に破砕刃による引きちぎり動作を行うことができる。また用紙は弧の状態に曲げられ、ある程度剛性を持つため破砕刃が刺さりやすく、また破砕時の騒音が大きく減少する。【００４３】
用紙の終端近くなると破砕刃２１１の強い張力が幅が狭くなった用紙に働くため、用紙はベルト２３１で押さえられている部分以外は引きちぎられ、最後にベルト２３１に挟まれた部分が残り、小さな用紙片としてプーリー２５１から落下する。【００４４】
本実施の形態によれば、用紙を破砕する破砕刃を、搬送用プーリーによる用紙保持部の直ぐ後に設置するとともに、破砕時に用紙を押さえ破砕を補助する押さえリングを搬送用プーリーに設けたことにより、第１の実施の形態と同様に、用紙の終端まで確実に用紙を破砕することができる。【００４５】
図１０は、ベルト搬送系とプーリーを用いた破砕部の第３の実施の形態を示す図である。この実施の形態は、第２の実施の形態の破砕刃２１５と同軸にベルト搬送系を構成する第２のプーリー２３８を設けるとともに、プーリー２５１と同軸に設けられる押さえリング２５２に代えて破砕刃２１６を装着したことが特徴である。すなわち、破砕刃２１５が固定される軸２１０には、破砕刃２１５の回転半径より半径の小さい複数のプーリー２３８が、破砕刃２１５と交互に回転自在可能に装着されている。複数のプーリー２３８はそれぞれ搬送系のベルト２３１と接触し、ベルト２３１の回転に従い回転する。一方、プーリー２５１は第２の実施の形態と同様に、その軸方向に沿って複数配置され、各プーリーの間には破砕刃２１５と同様の構造の破砕刃２１６が固定されている。プーリー２５１は、軸２５０に対し自由回転が可能であり、ベルト２３１の回転に従い回転する。【００４６】
このような構成において、用紙はまずプーリー２５１とベルト２３１との間に挟まれ保持された状態でベルト２３１の速度で搬送される。用紙がプーリー２５１とベルト２３１との接触中心部をある程度過ぎたところで破砕刃２１５との接触が始まり、ベルトによる搬送速度と破砕刃２１５の周速度との差により、引きちぎり動作が開始される。一方、破砕刃２１６の回転径はプーリー２５１よりも少し小さいため、単独では用紙と接触することはないが、一旦破砕刃２１５による破砕が始まると破砕刃２１６側に押されてくる用紙を破砕したり、用紙を破砕刃２１５側に押し返し破砕刃２１５による破砕を助けるように働く。【００４７】
この実施の形態においても、用紙は終端まで確実にプーリー２５１とベルト２３１で保持された状態で破砕が行われるので、終端を残すことなく１回の破砕動作で破砕を行うことができる。【００４８】
第２の態様
次に歯車を用いた破砕部の実施の形態を説明する。図１１から図１４は、複数の歯車を利用した第４の実施の形態とその変更例を示す図である。この実施の形態の破砕部は、複数の歯車群を用いることによって動力源を簡素化するとともに、用紙の搬送系に対し破砕系の作用点を少し後ろにずらし、用紙に作用する破砕張力を安定化させ、用紙の終端まで確実に破砕を行うようにしたものである。また用紙の搬送系に歯車を用いることにより、破砕系に進む用紙をあらかじめ皺状にするため、破砕刃が引っ掛りやすく引きちぎりが容易となる。【００４９】
図１１および図１２は、それぞれ第４の実施の形態の破砕部を横から見た図、上から見た図である。この破砕部５００は、用紙の搬送系である第１および第２の歯車状ホイル５１１、５１２と、破砕系である第１および第２の歯車軸５２１、５２２と、歯車軸５２１、５２２にそれぞれ固定された破砕刃５３１、５３２とからなる。歯車状ホイル５１１、５１２および破砕刃５３１、５３２は、図１２に示すように、用紙の幅方向に複数配置されており、図１１の矢印方向から見たときに互いに交互に配置されている。【００５０】
歯車状ホイル５１１、５１２は、同形状であって外周に外歯５１２a、内周に内歯５１２ｂが形成されたリング状の部材で、互いの外歯が噛み合うとともに、それぞれの内歯に歯車軸５２１、５２２が噛み合っている。歯車軸５２１、５２２は、外周に第１の実施の形態と同様の構造を有する破砕刃５３１、５３２が２枚を一組として複数組間隔を置いて固定されている。歯車軸５２１、５２２の、破砕刃が固定されていない外周には歯車状ホイル５１１、５２１と噛み合うための歯が形成されている。歯車軸５２１、５２２は、図示しない駆動源に接続されており、歯車軸５２１が時計回り、歯車軸５２２が反時計回りに回転する。歯車軸５２１、５２２の回転により、これらに固定された破砕刃５３１、５３２が回転する。破砕刃５３１の回転径と破砕刃５３２の回転径は互いに重なり、これによってこの間を通過する用紙を破砕する。歯車状ホイル５１１、５１２の外歯同士がかみ合う位置は破砕刃の回転中心から少し上（約１〜２cm上）にずれたところに設定される。【００５１】
歯車軸５２１、５２２の回転により、それらと内歯が噛み合っている歯車状ホイル５１１、５１２も歯車軸と同方向に回転する。歯車状ホイル５１１、５１２の回転速度は、歯車軸５２１、５２２の回転速度に対し、歯車軸の歯数と内歯の歯数との割合で決まる減速比で減速された遅い速度となる。たとえば破砕刃と歯車状ホイルとの回転速度比は、破砕刃の一回転で歯車状ホイルは用紙を４cm程度送るように設定され、用紙送り約１cmごとに破砕刃の歯が交互に用紙に当たるように設定されている。これにより搬送系である歯車状ホイル５１１、５１２と破砕系である歯車軸５２１、５２２との間に速度差が形成され、破砕刃による引きちぎり動作が可能となる。【００５２】
また歯車状ホイル５１１、５１２の内側には、歯車軸に固定された破砕刃の回転を妨げない位置に、ホイルの回転を安定にするために歯車５４１、５４２が設けられている。【００５３】
このような構成において、図示しない搬送系（用紙供給部）からガイド５５０を経て歯車状ホイル５１１、５１２の間に搬送された用紙は、まず外歯に噛み込まれ皺状に変形させられ、その直後破砕刃５３１、５３２で破砕される。歯車状ホイル５１１、５１２が用紙を送る速度に対し、破砕刃５３１、５３２は速い周速度で回転しているため用紙に張力が与えられ、安定した引きちぎり動作が行われ、最後まで破砕される。【００５４】
本実施の形態によれば、用紙を搬送する搬送系の歯車と、用紙を破砕する破砕系の軸とを遊星歯車としたことにより、同一の駆動系で搬送と破砕とを行うことができ、また搬送系の作用点に連続して破砕系の作用点を配置することができ、用紙の終端まで確実に破砕を行うことができる。さらに搬送系により用紙を皺状にするので、破砕刃が突き刺さりやすく効率よく破砕を行うことができる。【００５５】
なお歯車群を利用した破砕部は、上述の実施の形態のほか、歯車の組み合わせを種々変更することが可能である。例えば図１３に示すように、歯車状ホイル５６１、５６２の外側に外歯と噛み合う動力伝達用の歯車５７１、５７２を設け、歯車状ホイル５６１、５６２の駆動を、破砕刃の駆動とは別にすることも可能である。またこの実施の形態では、歯車状ホイル５６１、５６２は、その厚みより厚いホルダー５８１、５８２に回転自在に支持されている。ホルダー５８１、５８２は２本の支柱５９０で支持されている。また破砕刃が固定された軸５１１、５１２は、ホルダーに回転自在に支持されており、歯車状ホイル５６１、５６２よりも速い周速度で回転する。【００５６】
この実施の形態でも、歯車状ホイルの作用点と破砕刃の作用点とが近接し、かつ歯車状ホイルによって用紙を皺状にして破砕刃に送り込むことができるので、図１１に示す実施の形態と同様に確実かつ効率よく用紙の破砕を行うことができる。【００５７】
図１４に示す変更例は、破砕刃を固定した軸６００に破砕刃と交互に固定された歯車６１０、この歯車６１０と噛み合う歯車６２０、および歯車６２０と同軸で回転する歯車６３０によって、軸６００の回転を減速して歯車ホイル６４０に伝達するようにしたものである。破砕刃および歯車６１０を固定した軸６２０と、歯車６２０および歯車６３０を固定した軸６５０は、含油合金等からなるベース６６０に支持されている。ベース６６０は、歯車状ホイル６４０の軸６７０に対しては軸受けになっている。歯車６１０と歯車６３０は、ベース６６０の同じ側にあって、他の部材と隔てられている。【００５８】
この実施の形態でも、歯車状ホイルの作用点と破砕刃の作用点とが近接し、かつ歯車状ホイルによって用紙を皺状にして破砕刃に送り込むことができるので、図１１に示す実施の形態と同様に確実かつ効率よく用紙の破砕を行うことができる。【００５９】
次に歯車を用いた破砕部であって、搬送系の作用点と破砕系の作用点とが用紙の搬送方向について実質的に同じ位置にあり、第２の態様に比べ少ない歯車数で効率よく用紙の破砕を可能にした破砕部の実施の形態を説明する。【００６０】
図１５および図１６は破砕部７００の第５の実施の形態を示す図で、図１５は用紙搬送方向の横から見た図、図１６は上から見た図である。この破砕部は、平行な２本の駆動軸７１０、７２０と、駆動軸７１０に固定された搬送用歯車７１１と、駆動軸７２０に固定された破砕用歯車７２１と、駆動軸７１０に回転自在に支持され、破砕用歯車７２１と噛み合って従動するに従動歯車７１３と、駆動軸７２０に回転自在に支持され、搬送用歯車７１１と噛み合って従動するに従動歯車７２３とを備えている。搬送用歯車７１１は、用紙Ｐの張力が集中し、そこから破れやすくなるように他の歯車に比べ歯幅を小さくしている。【００６１】
駆動軸７１０、７２０はそれぞれ図示しない駆動源に接続され、それぞれ異なる速度で回転する。破砕用歯車７２１が固定された駆動軸７２０は、搬送用歯車７１１が固定された駆動軸７１０より速い速度で回転する。各駆動軸において、搬送用歯車或いは破砕用歯車と従動歯車は互いに交互に複数配列し、駆動軸７１０に固定された搬送用歯車７１１と駆動軸７２０に固定された従動歯車７２３とが噛み合い、駆動軸７２０に固定された破砕用歯車７２１と駆動軸７１０に固定された従動歯車７１３とが噛み合うように配置されている。【００６２】
各歯車間には負荷スプリング７３１、７３２が装着されている。負荷スプリング７３１、７３２は、自由に回転できる従動歯車７１３、７２３に適当な回転負荷トルクを与えるもので、それにより２つの歯車が噛み合い接触する部分で用紙保持圧力が高まり、搬送用歯車および破砕用歯車にかみこまれる用紙の保持力、搬送力が向上するようになっている。【００６３】
このような構成において、用紙Ｐが搬送用歯車７１１と従動歯車７２３との噛み合い部にくると、用紙は二つの歯車により噛み込まれ皺状にされながら搬送される。同時に破砕用歯車７２１と従動歯車７１３と間でも用紙の搬送が始まる。この際、破砕用歯車７２１による搬送速度が搬送用歯車７１１による搬送速度よりも速いため、両歯車間の用紙に部分的で大きな引張り力が発生し、搬送用歯車の用紙保持部に張力が集中する結果、その部分から用紙は引きちぎられ破砕され細かい用紙片となる。【００６４】
このように本実施の形態によれば、２本の駆動軸とそれらに設けられた搬送用歯車と従動歯車の組および破砕用歯車と従動歯車の組という簡単な構成で、確実な用紙保持力と破砕力を与えることができ、用紙の終端まで確実に且つ効率よく破砕を行うことができる。【００６５】
本実施の形態の変更例として第６の実施の形態を図１７および図１８に示す。この実施の形態でも、互いに回転方向、回転速度の異なる２つの駆動軸７１０、７２０に、搬送用歯車７１１、破砕用歯車７２１が固定される点は第５の実施の形態と同じであるが、搬送用歯車７１１と噛み合って搬送系を構成する従動歯車は、駆動軸７２０に固定されておらず、その代わりに、プレス歯車７４０が破砕系の作用点とは異なる位置、ここでは搬送用歯車７１１の上側に設けられている。プレス歯車７４０は歯幅を比較的広くし、一方、搬送用歯車７１１は、その製造過程で転移係数を調整し、歯の先端が鋭く尖るように加工されている。また搬送用歯車７１１は、従動歯車７１３よりも径が大きく、破砕用歯車７２１と従動歯車７１３とが噛み合う位置において、その中心よりも破砕用歯車７２１側に突出している。【００６６】
このような構成において、搬送用歯車７１１とプレス歯車７４０との間に用紙が噛み込まれると、用紙はプレス歯車７４０により強く搬送用歯車７１１側に押され、その歯に突き刺さり穴があいた状態で搬送され、破砕歯車７２１と従動歯車７１３との間に送られる。用紙の端部が破砕歯車７２１と従動歯車７１３との噛み合い部に噛み込まれると、用紙は歯車同士の歯圧により固く保持されたまま搬送用歯車７１１の搬送速度より高速で送られるため、搬送用歯車７１１と破砕用歯車７２１との間で用紙に大きな引きちぎり力が発生する。このとき、破砕用歯車７２１の歯の位置は搬送用歯車７１１の歯の位置より搬送用歯車７１１が固定された軸７１０側に突き出した位置にあるので、引きちぎり破砕がより円滑に行われる。また用紙にはすでにプレス歯車７４０と搬送用歯車７１１とによって突き刺さり穴が形成されているため、用紙に加わる張力はすべて穴に集中し、比較的弱い張力でも用紙の引きちぎりが始まり細かい用紙片に破砕される。【００６７】
第６の実施の形態の破砕部を、ベルト搬送系を備えた用紙供給部１００と連結したドキュメントシュレッダー装置の全体の構成を図１９に示す。
用紙収納部に収納された用紙Ｐは、搬送ベルト１３１が回転すると用紙収納部１１０と搬送ベルト１３１との間の隙間より用紙収納部１１０の外部に送られ、分離ローラー１２１により例えば１枚のみが分離され、ガイドローラー１３９およびガイド１３５に案内されて、破砕部７００の搬送用歯車に運ばれる。プレス歯車７４０との噛み合い部で搬送用歯車７１１の歯に突き刺さり搬送され、ガイド１３５により回転する破砕用歯車７２１の噛み合い部に誘導される。破砕用歯車７２１は搬送用歯車７１１より搬送速度が速いため、両者の間で用紙の引きちぎり力が発生し用紙は細かく破砕され、ホッパーを介して圧縮部に集められる。【００６８】
つぎに、圧縮部３００について説明する。圧縮部３００は、破砕部２００で破砕された用紙片３１２を所定の圧縮力で押し固め、一塊の圧縮物として排出する。【００６９】
まず、圧縮部３００の構造を、その上面図である図２０、Ａ−Ａ断面図である図２１、側面図である図２２を用いて説明する。圧縮部３００は、上部から用紙片３１２が投入される格納部３０７と、それに連結された圧縮室３０４と、格納部３０７と圧縮部３０４との間に配置された圧縮機構部３３１とを有する。なお、図２０においては、内部構造を示すために、圧縮室３０４と圧縮機構部３３１の一部を切り欠いて示している。【００７０】
格納部３０７は、図２１にその外形を破線で示したように、板状部材をU字型に湾曲させて形成した本体と、その一端に配置された板状部材である側面部材とにより構成され、U字型本体の開口は、用紙片１２の投入口として上方に向けられている。U字側本体の他方の開放された側面部は、圧縮機構部３３１に連結されている。【００７１】
圧縮室３０４は、４枚の板状部材を組み合わせて構成した、筒状の圧縮室本体と、２枚の圧力壁３０９とを含む。筒状の圧縮室本体は、内部空間の断面形状が四角形であり、その径は、軸方向に一定であって、狭められている箇所はない。したがって、圧縮された用紙片３１２が筒状の圧縮室本体の軸方向の特定箇所に押しつけられることはない。筒状の圧縮室本体の開口は、一側が用紙片の搬入口、他側が排出口となる。【００７２】
２枚の板状の圧力壁３０９は、先細りの勾配を持つように、すなわち主平面のなす角が１８０°よりも小さくなるように、一端を付き合わせられ、筒状の圧縮室本体の排出口を覆うように配置されている。他端はそれぞれヒンジ３２１によって筒状の本体の側面に取り付けられている。これにより、圧力壁３０９は、両開き扉のように開閉可能に圧縮室本体の開口を塞いでいる。また、２枚の圧力壁３０９の付き合わせられた端部には、それぞれ突起３２２が設けられ、突起３２２にはそれぞれスプリング３１０の端部が固定されている。スプリング３１０の他端は、圧縮室本体の側面に設けられた突起３２３に固定されている。この時スプリング３１０は、２枚の圧縮壁３０９が閉じる方向に力を加えるように、取り付けられている。圧縮部３０４の内部の用紙片３１２は、圧力壁３０９に押しつけられることにより圧縮される。用紙片３１２の塊（用紙塊３１１）が圧力壁３０９を内側から押す力が、スプリング３１０が圧力壁３０９を閉じる方向に与える力を超えた場合には、用紙塊３１１が圧力壁３０９を押し広げ、外部に用紙塊３１１が排出される。【００７３】
圧縮機構部３３１は、格納部３０７と圧縮室３０４の搬入口とを連結するように配置されたフレーム３１３と、格納部３０７と圧縮室３０４の連結部の内部空間に回転可能に配置された軸３０２と、圧縮ローラー３０１と、駆動軸３０６と、コイルスプリング３０５とを備えている。【００７４】
軸３０２は、複数の圧縮ローラー３０１の回転中心に挿入され、圧縮ローラー３０１が軸３０２を中心に回転できるように支持している。同時に、軸３０２の中心には、駆動軸３０６が垂直に挿入されている。駆動軸３０６の逆側の端部は、格納部３０７を貫き、格納部３０７の逆側の側面から突出しており、不図示の回転駆動源に接続されている。駆動軸３０６の回転駆動されることによって軸３０２は、格納部３０７と圧縮室３０４との境界面（鉛直面）内で回転する。これに伴い、圧縮ローラー３０１は、格納部３０７と圧縮室３０４との境界面で駆動軸３０６を中心に同心円を描くように回転する。このとき、圧縮ローラー３０１は、圧縮室３０４内に用紙片３１２が満たされている場合には、用紙片３１２の塊の端面を押しつぶすように、軸３０２を中心に自転し、用紙片３１２を圧縮する。【００７５】
軸３０２の両端は、フレーム３１３の内部に配置されたリング状の支持体３０３に固定されている。支持体３０３は、スラストベアリング３０８を介して、フレーム３１３に強固に支持されている。よって、圧縮室３０４内の用紙片３１２の圧縮度合いが高まり、圧縮ローラー３０１に大きな圧力が加わる場合であっても、支持体３０３に働く反力は、ラジアル荷重とスラスト荷重が受け入れられるベアリング３０８を通じ、フレーム３１３で支持することができる。これにより、大きな圧縮力が発生したときにも、圧縮ローラー３０１は安定して回転することができる。また、軸３０２にかかる大きな力をフレーム３１３で確実に支持することができるため、低トルクで回転駆動することができる。【００７６】
コイルスプリング３０５は、適切な送りピッチが設定された螺旋搬送機構であり、格納部３０７の内部空間に配置されている。その両端は駆動軸３０６に固定されている。駆動軸３０６が回転すると、コイルスプリング３０５も格納部３０７の内部空間で回転し、格納部３０７内に堆積した用紙片３１２を圧縮室３０４側へ移動させる搬送機構として動作する。【００７７】
つぎに、圧縮部３００の動作を説明する。
用紙破砕部２００で破砕された用紙片３１２は、格納部３０７の上部開口から連続投入される。この状態で、駆動軸３０６が回転すると、コイルスプリング３０５は、格納部３０７に堆積した用紙片３１２を圧縮室３０４へ向かって連続的に搬送し、用紙片１２は、回転する軸３０２の脇の空間を通り抜けて、圧縮室３０４の内部空間へ搬入される。圧縮室３０４が圧縮室３０４と格納部３０７との境界面まで用紙片３１２で満たされると、境界面で回転している軸３０２に取り付けられている圧縮ローラー３０１は、用紙片１２の塊の端面に接触した状態で、円軌道を描きながら回転する。これにより、用紙片１２は圧縮室３０４側に向かって連続的に押しつぶされ圧縮される。さらに連続的に格納部３０７から圧縮室３０４へ搬送されてくる用紙片３１２は、圧縮ローラー３０１によって押しつぶされ、踏み固められるように圧縮室３０４へ押し込まれる。このようにコイルスプリング３０５による搬送および圧縮ローラー３０１による圧縮動作は、駆動軸３０６の回転により、連続的に進行し、圧縮室３０４内部では用紙片の圧縮が連続して行われ、用紙片３１２は、用紙塊３１１になる。【００７８】
圧縮室３０４の用紙塊３１１が圧力壁３０９を押す圧力が、スプリング３１０のバネ力によって設定される所定レベルに達すると、用紙塊３１１が圧力壁３０９を押し広げ、圧縮されて一塊となった用紙塊３１１が、圧縮室３０４から一塊のまま排出される。
このように、本実施の形態の圧縮部３００の構造では、圧縮室３０４の筒状の本体の径を一定とし、圧縮室３０４での用紙片３１２の圧縮により最も力がかかる部分が、先端（排出口）の圧力壁３０９となるように構成している。しかも、この圧力壁３０９をバネ力によって開閉可能な構造とし、所定の圧力で開く排出口としている。このため、本実施の形態の構造では、圧縮された用紙塊３１１に詰まりが発生しない。また、スプリング３１０として所望のバネ力のものを用いることにより、用紙塊３１１の圧縮力を所望の圧縮力に容易に設定することができる。２枚の圧力壁３０９の突き合わせの勾配によっても、圧縮率を調整することができる。【００７９】
また、用紙塊３１１が圧力壁３００に突き当たるまでの圧縮室３０４本体は、径が一定であるため、径を段階的に狭めるためのテーパー部等が不要であり、圧縮室３０４を小型にすることができる。
また、圧縮機構部３３１は、圧縮ローラー３０１を用紙塊３１１の端面に接触させて、端面上で回転させることにより押しつぶす構成であるため、圧縮機構部３３１は、ローラー３０１部分の厚みのみでよく、小型な圧縮機構部３３１を提供できる。【００８０】
また、圧縮機構部３３１の搬送機構として、格納部３０７を貫く駆動軸３０６によって回転するコイルスプリング３０５を用いている。別途搬送機構を設けることなく、圧縮機構部３３１の回転駆動軸を利用して用紙片の搬送ができる。しかも、コイルスプリング３０５による搬送および圧縮ローラー３０１による圧縮は、上述したように、用紙塊３１１の圧縮面が鉛直面方向であっても搬送および圧縮を行うことができる。また、圧縮面を鉛直方向とした場合であっても搬送および圧縮を行うことができる。よって、設置方向に自由度の高い圧縮部３００を提供することができる。【００８１】
なお、用紙片搬送用のコイルスプリング３０５は、必要に応じて１条から２条以上へ増設することができる。
また、上記構造では、圧縮室３０４の圧力壁３０９をスプリング３１０の引っ張り力によって閉じる構成であるが、本実施の形態の圧縮部３００はこの構造に限られるものではない。例えば、圧力壁３０９と不図示の筐体との間に、スプリングを配置し、圧力壁３０９の外側壁面を垂直に押す力を加えることにより、圧力壁３０９を閉じることも可能である。この場合は、スプリングを押し縮める力に逆らって、用紙塊３１１は圧力壁３０９を押し開き、排出される構成となり、大きな圧縮力で用紙塊３１１を圧縮したい場合等に適している。【００８２】
上述の圧縮部３００においては、圧縮機構部３３１は、圧縮ローラー３０１と軸３０２を用いて用紙塊３１１を圧縮しているが、別の機構を用いることも可能である。例えば図２３に記載したように、駆動軸３０６に取り付けたプロペラ３４４によって用紙塊３１１を圧縮することができる。プロペラ３４４が回転することにより、プロペラ３４４の圧縮室３０４側の面は、用紙塊３１１の端面と接触し、端面上を摺動する。この摺動により、用紙塊３１１は押しつぶされ、圧縮される。【００８３】
このとき、プロペラ３４４の圧縮室３０４側の面に、プロペラ３４４の回転中心を中心として同心円を描く複数の溝を設けておくことが可能である。これにより、プロペラ３４と用紙塊３１１との動摩擦力を低減することができ、駆動軸３０６の回転トルクを小さくすることができる。
【図面の簡単な説明】
【００８４】
【図１】本発明のドキュメントシュレッダー装置の全体構成を示す図
【図２】用紙供給部の一実施の形態を示す図
【図３】用紙供給部の別の実施の形態を示す図
【図４】用紙供給部の別の実施の形態を示す図
【図５】用紙供給部の別の実施の形態を示す図
【図６】第１の実施の形態の破砕部を側面から見た図
【図７】図６の破砕部を矢印Ａから見た図
【図８】第２の実施の形態の破砕部を側面から見た図
【図９】図８の破砕部を矢印Ａから見た図
【図１０】第３の実施の形態の破砕部を側面から見た図
【図１１】第４の実施の形態の破砕部を側面から見た図
【図１２】図１１の破砕部を上面から見た図
【図１３】図１１の破砕部の変更例を示す図
【図１４】図１１の破砕部の別の変更例を示す図
【図１５】第５の実施の形態の破砕部を側面から見た図
【図１６】図１５の破砕部を上面から見た図
【図１７】第６の実施の形態の破砕部を側面から見た図
【図１８】図１７の破砕部を上面から見た図
【図１９】図１７の破砕部を備えたドキュメントシュレッダー装置を示す図
【図２０】圧縮部の一部を切り欠いた上面図
【図２１】図２０の圧縮部のＡ−Ａ断面図
【図２２】圧縮部の側面図
【図２３】圧縮機構部としてプロペラを採用した場合の圧縮部を示す切り欠き上面図
【符号の説明】
【００８５】
１００・・・用紙供給部、１１０・・・用紙収納部、１２０・・・用紙分離機構、１２１・・・分離部材、１３０・・・用紙搬送系、２００、５００、７００・・・破砕部、２１０、２２０、５１１、５２１、７１０、７２０・・・軸、２１１、２１５、２１６、２２１、５３１、５３２・・・破砕刃、２１３・・・突起状ホイル、２１４・・・ローラー、２３１・・・ベルト、２３５・・・ガイド、２５２・・・押さえローラー、３００・・・圧縮部、３０１・・・圧縮ローラー、３０２・・・軸、３０３・・・支持体、３０４・・・圧縮室、３０５・・・コイルスプリング、３０６・・・駆動軸、３０７・・・格納部、３０８・・・スラストベアリング、３０９・・・圧力壁、３１０・・・スプリング、３１１・・・用紙塊、３１２・・・用紙片、３１３・・・フレーム、３２１・・・ヒンジ、３２２・・・突起、３２３・・・突起、３３１・・・圧縮機構部、３４４・・・プロペラ、７１１・・・搬送用歯車、７１３、７２３・・・従動歯車、７２１・・・破砕用歯車、７４０・・・プレス歯車
【図１】
0005230937.tif 000002
【図２】
0005230937.tif 000003
【図３】
0005230937.tif 000004
【図４】
0005230937.tif 000005
【図５】
0005230937.tif 000006
【図６】
0005230937.tif 000007
【図７】
0005230937.tif 000008
【図８】
0005230937.tif 000009
【図９】
0005230937.tif 000010
【図１０】
0005230937.tif 000011
【図１１】
0005230937.tif 000012
【図１２】
0005230937.tif 000013
【図１３】
0005230937.tif 000014
【図１４】
0005230937.tif 000015
【図１５】
0005230937.tif 000016
【図１６】
0005230937.tif 000017
【図１７】
0005230937.tif 000018
【図１８】
0005230937.tif 000019
【図１９】
0005230937.tif 000020
【図２０】
0005230937.tif 000021
【図２１】
0005230937.tif 000022
【図２２】
0005230937.tif 000023
【図２３】
0005230937.tif 000024